(57)【要約】  【課題】    音声データをそれぞれ記録可能な携帯型電話機およびファクシミリ装置を利用し、音声データを記録再生する機能の使い勝手を良くすることができるファクシミリ装置を提供する。  【解決手段】  音声データを記録可能な携帯型電話機Ｂが接続され、音声データをＲＡＭ１２に記録して再生する機能を備えたファクシミリ装置Ａであって、ＣＰＵ１０は、ＲＡＭ１２に記録された音声データをユーザの操作に応じて再生させる際、携帯型電話機Ｂのメモリに記録されている音声データについても再生させる。【選択図】        図１
2006020360.tif 000002
【特許請求の範囲】
【請求項１】
音声データを記録可能な携帯型電話機が有線または無線により接続可能に構成され、音声データをメモリに記録して再生する機能を備えた通信装置であって、
前記メモリに記録された音声データをユーザの操作に応じて再生させる際、前記メモリに記録された音声データを再生するためになされたユーザの操作によって前記携帯型電話機に記録されている音声データについても再生させる音声データ再生制御手段を有することを特徴とする通信装置。
【請求項２】
前記音声データ再生制御手段は、前記携帯型電話機に音声データが記録されているか否かを問い合わせ、音声データが記録されている場合に前記携帯型電話機からその音声データを読み出して再生させる、請求項１に記載の通信装置。
【請求項３】
前記音声データ再生制御手段は、あらかじめ登録済みの携帯型電話機が接続されている場合に限り、その携帯型電話機に記録されている音声データを再生させる、請求項１または２に記載の通信装置。
【請求項４】
前記メモリまたは前記携帯型電話機のどちらか一方が容量不足により音声データを記録できない場合、他方に前記音声データの記録を代行させる音声データ記録制御手段を有し、前記音声データの再生時には、記録された順に音声データを再生する、請求項１ないし３のいずれかに記載の通信装置。
【請求項５】
前記音声データ記録制御手段は、前記メモリが容量不足により音声データを記録できない状態であって、あらかじめ登録済みの携帯型電話機が接続されている場合に限り、その携帯型電話機に前記音声データの記録を代行させる、請求項４に記載の通信装置。
【請求項６】
音声データを記録可能な携帯型電話機が有線または無線により接続可能に構成され、音声データをメモリに記録して再生する機能を備えた通信装置を制御するためのプログラムを記憶した記憶媒体であって、
前記メモリに記録された音声データをユーザの操作に応じて再生させる際、前記メモリに記録された音声データを再生するためになされたユーザの操作によって前記携帯型電話機に記録されている音声データについても再生させるための音声データ再生制御プログラムを含むプログラムを記憶したことを特徴とする記憶媒体。
【請求項７】
音声データを記録可能な通信装置が有線または無線により接続可能に構成され、音声データをメモリに記録して再生する機能を備えた携帯型電話機であって、
前記メモリに記録された音声データをユーザの操作に応じて再生させる際、前記メモリに記録された音声データを再生するためになされたユーザの操作によって前記通信装置に記録されている音声データについても再生させる音声データ再生制御手段を有することを特徴とする携帯型電話機。
【請求項８】
音声データをそれぞれ各メモリに記録可能な通信装置および携帯型電話機と、その通信装置と携帯型電話機とを有線または無線により接続可能な接続手段とを備え、各メモリに記録された音声データを再生する機能を備えた通信システムであって、
前記各メモリに記録された音声データの一方をユーザの操作に応じて再生させる際、前記メモリに記録された一方の音声データを再生するためになされたユーザの操作によって他方のメモリに記録されている音声データについても再生させる音声データ再生制御手段を有することを特徴とする通信システム。
【発明の詳細な説明】
【技術分野】
【０００１】
本発明は、携帯型電話機を有線または無線により接続可能とし、音声データの記録再生機能を備えた留守番電話機やファクシミリ装置などの通信装置に関する。
【背景技術】
【０００２】
通信装置としての留守番電話機やファクシミリ装置では、内蔵メモリを利用して相手先の音声をデジタル方式により記録再生できる留守録再生機能が備えられている。この例に漏れず、携帯型電話機にもデジタル記録再生方式による留守録再生機能が備えられている。
【０００３】
一方、この種の通信装置と携帯型電話機との融合化を図り、外付接続された携帯型電話機を経由して音声データやファクシミリデータを送受信できる通信装置もある。
【発明の開示】
【発明が解決しようとする課題】
【０００４】
ところが、上記の通信装置では、留守録再生機能に基づいて得られた音声データを携帯型電話機との間でやり取りすることができず、外付接続された携帯型電話機と通信装置との留守録再生機能の点において使い勝手が良いとは言えなかった。
【０００５】
たとえば、通信装置の内蔵メモリに記録された音声データを再生させる場合、ユーザは、通信装置を操作しなければならず、その一方、携帯型電話機に記録された音声データを再生させる場合には、携帯型電話機を操作しなければならない。要するに、ユーザは、通信装置と携帯型電話機とを別々に取り扱い、それぞれに対して独立した再生操作を行う必要があった。
【０００６】
また、通信装置をメインに使用する場合、携帯型電話機を経由して得られた相手先の音声データが通信装置の内蔵メモリに記録されることとなるが、この内蔵メモリが容量不足により音声データを記録する余地がない場合、相手先の音声データを記録できずに留守録用件を取りこぼしてしまうおそれがあった。
【０００７】
本発明は、上記の点に鑑みて提案されたものであって、音声データをそれぞれ記録可能な携帯型電話機および通信装置を利用し、音声データを記録再生する機能の使い勝手を良くすることができる通信装置、記憶媒体、携帯型電話機、および通信システムを提供することを目的とする。
【課題を解決するための手段】
【０００８】
上記目的を達成するために、請求項１に記載した発明の通信装置は、音声データを記録可能な携帯型電話機が有線または無線により接続可能に構成され、音声データをメモリに記録して再生する機能を備えた通信装置であって、前記メモリに記録された音声データをユーザの操作に応じて再生させる際、前記メモリに記録された音声データを再生するためになされたユーザの操作によって前記携帯型電話機に記録されている音声データについても再生させる音声データ再生制御手段を有することを特徴とする。
【０００９】
このような通信装置によれば、自己のメモリのみならず携帯型電話機に記録されている音声データがユーザの操作に応じて再生されるので、互いに接続された携帯型電話機と通信装置とを別々に取り扱う必要はなく、一方の操作でこれらの双方から音声データを読み出して再生させることができ、音声データを記録再生する機能の使い勝手を良くすることができる。
【００１０】
また、請求項２に記載した発明の通信装置は、請求項１に記載の通信装置であって、前記音声データ再生制御手段は、前記携帯型電話機に音声データが記録されているか否かを問い合わせ、音声データが記録されている場合に前記携帯型電話機からその音声データを読み出して再生させる。
【００１１】
このような通信装置によれば、請求項１に記載の通信装置による効果に加えて、携帯型電話機に音声データが記録されている場合に限りその音声データが再生され、音声データの再生を効率的に行うことができる。
【００１２】
さらに、請求項３に記載した発明の通信装置は、請求項１または２に記載の通信装置であって、前記音声データ再生制御手段は、あらかじめ登録済みの携帯型電話機が接続されている場合に限り、その携帯型電話機に記録されている音声データを再生させる。
【００１３】
このような通信装置によれば、請求項１または２に記載の通信装置による効果に加えて、あらかじめ登録済みの携帯型電話機でなければ、その携帯型電話機の音声データを再生することができず、携帯型電話機に記録されている音声データのプライバシー保護を図ることができる。
【００１４】
また、請求項４に記載した発明の通信装置は、請求項１ないし３のいずれかに記載の通信装置であって、前記メモリまたは前記携帯型電話機のどちらか一方が容量不足により音声データを記録できない場合、他方に前記音声データの記録を代行させる音声データ記録制御手段を有し、前記音声データの再生時には、記録された順に音声データを再生する。
【００１５】
このような通信装置によれば、請求項１ないし３のいずれかに記載の通信装置による効果に加えて、たとえば公衆電話回線を介して得られた相手先の音声データを自己のメモリに記録する際、このメモリが容量不足により音声データを記録する余地がなくても、その音声データの記録を携帯型電話機が代行し、音声データの再生時には、記録順に音声データが再生されるので、通信装置および携帯型電話機の双方を有効に利用し、音声データによる相手先からの用件を取りこぼすおそれを少なくすることができ、音声データを記録再生する機能の使い勝手を良くすることができる。
【００１６】
さらに、請求項５に記載した発明の通信装置は、請求項４に記載の通信装置であって、前記音声データ記録制御手段は、前記メモリが容量不足により音声データを記録できない状態であって、あらかじめ登録済みの携帯型電話機が接続されている場合に限り、その携帯型電話機に前記音声データの記録を代行させる。
【００１７】
このような通信装置によれば、請求項４に記載の通信装置による効果に加えて、あらかじめ登録済みの携帯型電話機が接続されていなければ、その携帯型電話機に音声データを記録させることができず、許可なく携帯型電話機を用いるといった乱用を避けることができる。
【００１８】
また、請求項６に記載した発明の記憶媒体は、音声データを記録可能な携帯型電話機が有線または無線により接続可能に構成され、音声データをメモリに記録して再生する機能を備えた通信装置を制御するためのプログラムを記憶した記憶媒体であって、前記メモリに記録された音声データをユーザの操作に応じて再生させる際、前記メモリに記録された音声データを再生するためになされたユーザの操作によって前記携帯型電話機に記録されている音声データについても再生させるための音声データ再生制御プログラムを含むプログラムを記憶したことを特徴とする。
【００１９】
このような記憶媒体によれば、記憶されたプログラムに基づいてＣＰＵを動作させることにより、請求項１に記載の通信装置の動作を実現することができる。
【００２０】
さらに、請求項７に記載した発明の携帯型電話機は、音声データを記録可能な通信装置が有線または無線により接続可能に構成され、音声データをメモリに記録して再生する機能を備えた携帯型電話機であって、前記メモリに記録された音声データをユーザの操作に応じて再生させる際、前記メモリに記録された音声データを再生するためになされたユーザの操作によって前記通信装置に記録されている音声データについても再生させる音声データ再生制御手段を有することを特徴とする。
【００２１】
このような携帯型電話機によれば、請求項１に記載の通信装置によるものと同様の効果を得ることができる。
【００２２】
また、請求項８に記載した発明の通信システムは、音声データをそれぞれ各メモリに記録可能な通信装置および携帯型電話機と、その通信装置と携帯型電話機とを有線または無線により接続可能な接続手段とを備え、各メモリに記録された音声データを再生する機能を備えた通信システムであって、前記各メモリに記録された音声データの一方をユーザの操作に応じて再生させる際、前記メモリに記録された一方の音声データを再生するためになされたユーザの操作によって他方のメモリに記録されている音声データについても再生させる音声データ再生制御手段を有することを特徴とする。
【００２３】
このような通信システムによれば、請求項１に記載の通信装置、あるいは請求項７に記載の携帯型電話機によるものと同様の効果を得ることができる。
【発明の効果】
【００２４】
以上説明したように、請求項１に記載した発明の通信装置によれば、自己のメモリのみならず携帯型電話機に記録されている音声データがユーザの操作に応じて再生されるので、互いに接続された携帯型電話機と通信装置とを別々に取り扱う必要はなく、一方の操作でこれらの双方から音声データを読み出して再生させることができ、音声データを記録再生する機能の使い勝手を良くすることができる。
【００２５】
また、請求項２に記載した発明の通信装置によれば、請求項１に記載の通信装置による効果に加えて、携帯型電話機に音声データが記録されている場合に限りその音声データが再生され、音声データの再生を効率的に行うことができる。
【００２６】
さらに、請求項３に記載した発明の通信装置によれば、請求項１または２に記載の通信装置による効果に加えて、あらかじめ登録済みの携帯型電話機でなければ、その携帯型電話機の音声データを再生することができず、携帯型電話機に記録されている音声データのプライバシー保護を図ることができる。
【００２７】
また、請求項４に記載した発明の通信装置によれば、請求項１ないし３のいずれかに記載の通信装置による効果に加えて、たとえば公衆電話回線を介して得られた相手先の音声データを自己のメモリに記録する際、このメモリが容量不足により音声データを記録する余地がなくても、その音声データの記録を携帯型電話機が代行し、音声データの再生時には、記録順に音声データが再生されるので、通信装置および携帯型電話機の双方を有効に利用し、音声データによる相手先からの用件を取りこぼすおそれを少なくすることができ、音声データを記録再生する機能の使い勝手を良くすることができる。
【００２８】
さらに、請求項５に記載した発明の通信装置によれば、請求項４に記載の通信装置による効果に加えて、あらかじめ登録済みの携帯型電話機が接続されていなければ、その携帯型電話機に音声データを記録させることができず、許可なく携帯型電話機を用いるといった乱用を避けることができる。
【００２９】
また、請求項６に記載した発明の記憶媒体によれば、記憶されたプログラムに基づいてＣＰＵを動作させることにより、請求項１に記載の通信装置の動作を実現することができる。
【００３０】
さらに、請求項７に記載した発明の携帯型電話機によれば、請求項１に記載の通信装置によるものと同様の効果を得ることができる。
【００３１】
また、請求項８に記載した発明の通信システムによれば、請求項１に記載の通信装置、あるいは請求項７に記載の携帯型電話機によるものと同様の効果を得ることができる。
【発明を実施するための最良の形態】
【００３２】
以下、本発明の好ましい実施の形態について図面を参照して説明する。
【００３３】
図１は、本発明に係る通信装置の一実施形態として、携帯型電話機を利用した通信システムにおけるファクシミリ装置の構成を示したブロック図である。この図に示すように、本発明に係るファクシミリ装置Ａは、ＣＰＵ１０、ＮＣＵ１１、ＲＡＭ１２、モデム１３、ＲＯＭ１４、ＥＥＰＲＯＭ１５、ゲートアレイ１６、コーデック１７、ＤＭＡＣ１８、読取部２１、印刷部２２、操作部２３、表示部２４、音声出力部２５、および外付接続部２６などを具備して概略構成されている。ＣＰＵ１０、ＮＣＵ１１、ＲＡＭ１２、モデム１３、ＲＯＭ１４、ＥＥＰＲＯＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、表示部２４、音声出力部２５、および外付接続部２６が接続されている。ＮＣＵ１１には、公衆電話回線２８が接続されている。一方、外付接続部２６には、携帯型電話機Ｂが接続されている。なお、バス線２７には、電源ユニット２０からの電力供給を制御する充電制御部１９が接続されている。この充電制御部１９は、後述する外付接続部２６を介して携帯型電話機Ｂを充電するための構成であって、ユーザが帰宅時に携帯型電話機Ｂを充電する際、特別なケーブルの接続作業などを必要とせず、音声データの再生を容易にするために設けられたものである。
【００３４】
ＣＰＵ１０は、ファクシミリ装置全体の動作を制御する。ＮＣＵ１１は、公衆電話回線２８に接続されて網制御を行う。ＲＡＭ１２は、ＣＰＵ１０の作業領域や各種データの格納領域などを提供する。モデム１３は、デジタル信号を音声信号に相互変換すべく、ファクシミリデータや音声データの変復調などを行う。ＲＯＭ１４は、ＣＰＵ１０が実行すべきプログラムや設定値などのデータを記憶している。ＥＥＰＲＯＭ１５は、各種のフラグや設定データなどを記憶する。ゲートアレイ１６は、ＣＰＵ１０と各部２１〜２６とのインターフェイスとして機能する。コーデック１７は、ファクシミリデータや音声データの符号化や復号化を行う。ＤＭＡＣ１８は、主にＲＡＭ１２へのデータの書き込みや読み出しを行う。
【００３５】
読取部２１は、イメージセンサやＬＥＤ光源などを備え、原稿などから文字や図形などの画像を読み取る。印刷部２２は、たとえばインクジェット方式などにより文字や図形などの画像を印刷する。操作部２３は、テンキーや文字キーなどのキースイッチ群を備え、ユーザのキー操作に応じた指令をＣＰＵ１０に伝える。表示部２４は、ＬＣＤなどのディスプレイを備え、動作状態や操作ガイダンスなどを表示する。音声出力部２５は、増幅回路やスピーカなどを備え、後述の音声データに基づく音などを発する。外付接続部２６は、携帯型電話機Ｂをシリアルケーブル３０により接続するためのポートであって、この携帯型電話機Ｂとの間であらかじめ決められた通信手順に基づいてデータや信号を交換する。また、前記シリアルケーブル３０内の充電用ラインを介して携帯型電話機Ｂの充電を行うことができる。なお、携帯型電話機Ｂは、移動体通信網を介して相手先との通話を可能とし、内部に図示しない録音用メモリなどを備えたものであるが、広く一般的なものであることから、その詳細な図示説明を省略する。
【００３６】
要点について説明すると、本ファクシミリ装置Ａは、内蔵メモリとしてＲＡＭ１２を利用し、相手先の音声をデジタルデータ（以下、「音声データ」と言う）として記録再生する留守録再生機能を備えている。一方、携帯型電話機Ｂにも録音用メモリを利用した留守録再生機能が備えられている。また、本ファクシミリ装置Ａでは、宅内などに引き込まれた公衆電話回線２８を経由するのに加え、外付接続された携帯型電話機Ｂを経由して音声データやファクシミリデータを送受信する機能が設けられている。
【００３７】
ところで、本ファクシミリ装置Ａでは、留守録再生機能に基づいて得られた音声データを携帯型電話機Ｂとの間でやり取りすることができる。たとえば、ＲＡＭ１２に記録された音声データを再生させる場合、ユーザは、ファクシミリ装置Ａの操作部２３を介して所定のキー操作を行うが、この際、ＣＰＵ１０は、ＲＡＭ１２に記録された音声データを再生させるだけでなく、携帯型電話機Ｂの録音用メモリに記録されている音声データについても再生させる。つまり、ユーザは、ファクシミリ装置Ａ上において一度のキー操作を行うだけで、ファクシミリ装置Ａと携帯型電話機Ｂとのそれぞれに記録された音声データを再生させることができる。
【００３８】
なお、本ファクシミリ装置Ａでは、携帯型電話機Ｂに割り当てられた電話番号をユーザがあらかじめＥＥＰＲＯＭ１５などに登録している場合に限り、その携帯型電話機Ｂから音声データを読み出して再生することができる。これにより、携帯型電話機Ｂの録音用メモリに記録されている音声データを再生するのに一定の条件が課せられ、ファクシミリ装置Ａを使用するユーザと携帯型電話機Ｂの本来の所有者が異なる場合などに応じてプライバシー保護を図ることができる。
【００３９】
また、ファクシミリ装置Ａを留守録再生機能のメインとして使用する場合、公衆電話回線２８を経由して得られた相手先の音声データがＲＡＭ１２に記録されることとなるが、このＲＡＭ１２が容量不足により音声データを記録する余地がない場合、ＣＰＵ１０は、ＲＡＭ１２に代えて携帯型電話機Ｂの録音用メモリに相手先の音声データを記録させる。これにより、ファクシミリ装置Ａを単独で使用する場合に比べ、相手先の音声データを記録できずに留守録用件を取りこぼすといった事態をできる限り回避することができる。
【００４０】
このような場合においても、本ファクシミリ装置Ａでは、携帯型電話機Ｂに割り当てられた電話番号やシリアル番号などの携帯型電話機Ｂを識別するための情報をユーザがあらかじめＥＥＰＲＯＭ１５などに登録している場合に限り、その携帯型電話機Ｂの録音用メモリに音声データの記録を代行させることができる。
【００４１】
すなわち、ＣＰＵ１０は、メモリ（ＲＡＭ１２）に記録された音声データをユーザの操作に応じて再生させる際、携帯型電話機に記録されている音声データについても再生させる音声データ再生制御手段を実現している。また、ＣＰＵ１０は、メモリまたは携帯型電話機のどちらか一方が容量不足により音声データを記録できない場合、他方に音声データの記録を代行させる音声データ記録制御手段を実現している。
【００４２】
ＲＯＭ１４は、音声データを記録可能な携帯型電話機が有線または無線により接続可能に構成され、音声データをメモリに記録して再生する機能を備えた通信装置を制御するためのプログラムを記憶した記憶媒体であって、メモリに記録された音声データをユーザの操作に応じて再生させる際、携帯型電話機に記録されている音声データについても再生させるための音声データ再生制御プログラムを含むプログラムを記憶した記憶媒体を実現している。
【００４３】
次に、ファクシミリ装置Ａの動作について図面に基づいて説明する。
【００４４】
図２は、ファクシミリ装置Ａの留守録処理手順を示すフローチャートである。なお、この処理を実行するにあたっては、ファクシミリ装置Ａが留守録モードに設定されているとする。
【００４５】
図２に示すように、ＣＰＵ１０は、相手先からの発呼に応じて呼出信号を受信すると（Ｓ１：ＹＥＳ）、公衆電話回線２８を通じて相手先と交信できる回線閉結状態とする（Ｓ２）。
【００４６】
その次に、ＣＰＵ１０は、内蔵メモリとしてのＲＡＭ１２が音声データを記録する余地のない容量不足の状態か否かを調べる（Ｓ３）。
【００４７】
ＲＡＭ１２では容量不足となってしまう場合（Ｓ３：ＹＥＳ）、ＣＰＵ１０は、携帯型電話機Ｂがファクシミリ装置Ａの外付接続部２６に接続された状態か否かを調べる（Ｓ４）。携帯型電話機Ｂが外付接続部２６に接続されているか否かは、これらの間でケーブル３０を介してやり取りされる電気的信号に基づいて判断できる。
【００４８】
さらに、携帯型電話機Ｂが外付接続部２６に接続されている場合（Ｓ４：ＹＥＳ）、ＣＰＵ１０は、その携帯型電話機Ｂが登録済みのものか否かを調べる（Ｓ５）。携帯型電話機Ｂが登録済みか否かは、その携帯型電話機Ｂに割り当てられた電話番号がユーザのエントリ操作によってＥＥＰＲＯＭ１５に登録されているか否かにより判断できる。なお、携帯型電話機Ｂが外付接続部２６に接続されている状態でも、携帯型電話機Ｂの電源がオフの場合には、電源オンとすべきコマンドを送信して携帯型電話機Ｂを自動的に起動させるとしても良い。また、登録済みの携帯型電話機Ｂに限らず、接続された全ての携帯型電話機Ｂを利用可能なモードが選択されている場合には、このＳ５を行うことなく次の処理にそのまま進んでも良い。
【００４９】
そして、携帯型電話機Ｂが登録済みのものである場合（Ｓ５：ＹＥＳ）、ＣＰＵ１０は、音声転送録音処理を実行する（Ｓ６）。この音声転送録音処理では、携帯型電話機Ｂのメモリにあらかじめ記録されている相手先に留守録モードである旨の応答メッセージなどが通知され、それに応じて相手先から留守録用件として送られてくる音声データが携帯型電話機Ｂの録音用メモリに記録される。
【００５０】
最終的に、ＣＰＵ１０は、音声転送録音処理を終えると公衆電話回線２８を通じて相手先との交信を終了するために回線切断状態とし（Ｓ７）、これまでの一連の処理を終える。
【００５１】
Ｓ５において、外付接続部２６に接続された携帯型電話機Ｂが登録済みのものでない場合（Ｓ５：ＮＯ）、ＣＰＵ１０は、ファクシミリ装置Ａにあらかじめ記録されている相手先に留守録できない旨の応答メッセージなどを通知するための音声応答処理を実行し（Ｓ８）、その後Ｓ７に進む。
【００５２】
Ｓ４において、携帯型電話機Ｂが外付接続部２６に接続されていない場合（Ｓ４：ＮＯ）、ＣＰＵ１０は、Ｓ５：ＮＯの場合と同様に音声応答処理を実行し（Ｓ８）、その後Ｓ７に進む。
【００５３】
Ｓ３において、ＲＡＭ１２が音声データを最低限記録できる空き容量を有して容量不足の状態ではない場合（Ｓ３：ＮＯ）、ＣＰＵ１０は、音声自己録音処理を実行し（Ｓ９）、その後Ｓ７に進む。この音声自己録音処理では、ファクシミリ装置Ａにあらかじめ記録されている相手先に留守録モードである旨の応答メッセージなどが通知され、それに応じて相手先から留守録用件として送られてくる音声データがファクシミリ装置Ａ自体のＲＡＭ１２に記録される。
【００５４】
Ｓ１において、呼出信号を受信しない場合（Ｓ１：ＮＯ）、ＣＰＵ１０は、呼出信号を受信するまで待機状態を続ける。
【００５５】
次に、図３は、ファクシミリ装置Ａの音声再生処理手順を示すフローチャートであって、まず、ＣＰＵ１０は、音声データを再生するためのキー操作が操作部２３を介してユーザにより行われると（Ｓ１１：ＹＥＳ）、留守録音声再生処理を実行する（Ｓ１２）。この留守録音声再生処理では、ファクシミリ装置Ａ自体のＲＡＭ１２に留守録用件として記録されている音声データが読み出され、その音声データに基づく音声が音声出力部２５を介して出力される。この際、表示部２４には、ＲＡＭ１２における音声データ数に応じた留守録用件数などが表示される。なお、ＲＡＭ１２に音声データが存在しない場合には、その旨のメッセージなどを表示部２４に表示させた後、留守録音声再生処理を実行することなく次に進む。
【００５６】
さらに、ＣＰＵ１０は、留守録音声再生処理を終えると、図２のＳ４，Ｓ５と同様に、携帯型電話機Ｂがファクシミリ装置Ａの外付接続部２６に接続された状態か否かを調べ（Ｓ１３）、携帯型電話機Ｂが外付接続部２６に接続されている場合には（Ｓ１３：ＹＥＳ）、その携帯型電話機Ｂが登録済みのものか否かを調べる（Ｓ１４）。なお、この際においても、携帯型電話機Ｂの電源がオフの場合には、電源オンとすべきコマンドを送信して携帯型電話機Ｂを自動的に起動させるとしても良い。また、登録済みの携帯型電話機Ｂに限らず、接続された全ての携帯型電話機Ｂを利用可能なモードが選択されている場合には、Ｓ１４を行うことなく次の処理にそのまま進んでも良い。
【００５７】
そして、携帯型電話機Ｂが登録済みのものである場合（Ｓ１４：ＹＥＳ）、ＣＰＵ１０は、その携帯型電話機Ｂの録音用メモリに記録された音声データが存在するか否かを調べる（Ｓ１５）。
【００５８】
携帯型電話機Ｂの録音用メモリに記録された音声データが存在する場合（Ｓ１５：ＹＥＳ）、ＣＰＵ１０は、音声取得再生処理を実行し（Ｓ１６）、その後これまでの一連の処理を終える。この音声取得再生処理では、携帯型電話機Ｂの録音用メモリに記録されている音声データがファクシミリ装置Ａへと転送され、その音声データに基づく音が音声出力部２５を介して出力される。この際、表示部２４には、携帯型電話機Ｂの録音用メモリにおける音声データ数に応じた留守録用件数などが表示される。
【００５９】
Ｓ１５において、携帯型電話機Ｂの録音用メモリに音声データが存在しない場合（Ｓ１５：ＮＯ）、ＣＰＵ１０は、その旨のメッセージなどを表示部２４に表示させた後、音声取得再生処理を実行することなく一連の処理を終える。
【００６０】
Ｓ１４において、外付接続部２６に接続された携帯型電話機Ｂが登録済みのものでない場合（Ｓ１４：ＮＯ）、ＣＰＵ１０は、その旨のメッセージなどを表示部２４に表示させた後、Ｓ１５：ＮＯの場合と同様に音声取得再生処理を実行することなく一連の処理を終える。
【００６１】
Ｓ１３において、携帯型電話機Ｂが外付接続部２６に接続されていない場合（Ｓ１３：ＮＯ）、ＣＰＵ１０は、その旨のメッセージなどを表示部２４に表示させた後、Ｓ１４：ＮＯ，Ｓ１５：ＮＯの場合と同様に音声取得再生処理を実行することなく一連の処理を終える。
【００６２】
Ｓ１１において、音声データを再生するためのキー操作が行われない場合（Ｓ１１：ＮＯ）、ＣＰＵ１０は、音声データ再生のためのキー操作が行われるまで待機状態を続ける。
【００６３】
したがって、上記ファクシミリ装置Ａによれば、内蔵メモリとしてのＲＡＭ１２のみならず、携帯型電話機Ｂの録音用メモリに記録されている音声データがユーザの操作に応じて再生されるので、外付接続された携帯型電話機Ｂとファクシミリ装置Ａとを別々に取り扱う必要はなく、一度のキー操作でこれらの双方から音声データを読み出して再生させることができ、音声データを記録再生する機能の使い勝手を良くすることができる。
【００６４】
また、公衆電話回線２８を経由して得られた相手先の音声データをＲＡＭ１２に記録する際、このＲＡＭ１２が容量不足により音声データを記録する余地がなくても、その音声データの記録を携帯型電話機Ｂの録音用メモリに代行させることができるので、ファクシミリ装置Ａおよび携帯型電話機Ｂの双方のメモリを有効に利用し、音声データによる相手先からの留守録用件を取りこぼすおそれを少なくすることができ、音声データを記録再生する機能の使い勝手を良くすることができる。
【００６５】
なお、本発明は、上記実施形態に限定されるものではない。
【００６６】
本発明は、ファクシミリ装置Ａに限らず、携帯型電話機Ｂと接続可能な留守録再生機能を備えた留守番電話機などにも適用できる。
【００６７】
ファクシミリ装置Ａと携帯型電話機Ｂとは、有線方式によりケーブルを介して接続されるほか、赤外線、スペクトラム拡散またはBluetooth などを利用した無線方式で接続されるとしても良い。
【００６８】
上記の実施形態は、ファクシミリ装置Ａを主体として携帯型電話機Ｂを従属させた構成であるが、その逆に、携帯型電話機Ｂを主体としてファクシミリ装置Ａを従属させた構成とし、携帯型電話機ＢのＣＰＵに同様の処理を実行させるとしても良い。そうした構成によれば、携帯型電話機Ｂのメモリに記録されている音声データを、その携帯型電話機Ｂを操作して再生させる際、ファクシミリ装置Ａのメモリに記録されている音声データについても携帯型電話機Ｂで再生させることができる。また、携帯型電話機Ｂのメモリが容量不足の場合、ファクシミリ装置Ａのメモリを代用して音声データを記録させることができる。
【００６９】
音声データを再生する順番は、ファクシミリ装置Ａのメモリに記録されている音声データの次に、携帯型電話機Ｂのメモリに記録されている音声データを再生させるとしたが、もちろんその逆であっても良い。そのほか、ファクシミリ装置Ａあるいは携帯型電話機Ｂといった音声データの記録先に関係なく、音声データを受け取った受信日時などの順に再生させるとしても良い。さらには、留守録用件として記録された音声データに限らず、相手先との通話中に記録された音声データや、自己の音声をメモ代わりに記録した音声データなどの種類別に再生させるとしても良い。
【００７０】
音声データを再生するためのキー操作は、ファクシミリ装置Ａの操作部２３を介して行われとしても、あるいは携帯型電話機Ｂを操作して行われるとしても、一度の操作で可能とするものに限らず、一方の音声データの再生が終了した時点で他方の音声データの再生を行うか否かをユーザに問い合わせるようにしても良く、一方の操作で両方の音声データの再生が行われるものであれば良い。
【００７１】
さらに、ファクシミリ装置Ａと携帯型電話機Ｂとのメモリ間で相互に音声データをやり取りできる機能を利用し、たとえば、ファクシミリ装置Ａのメモリに記録されている音声データを携帯型電話機Ｂのメモリへと転送し、その後、携帯型電話機Ｂをファクシミリ装置Ａから切り離して再生操作するとしても良い。この場合、ユーザは、その場以外の場所に携帯型電話機Ｂを持ち出してファクシミリ装置Ａのメモリに取り込まれた用件を聞くことができる。また、転送後にファクシミリ装置Ａのメモリに記憶されている音声データを消去すれば、ファクシミリ装置Ａのメモリを有効に活用することができる。
【００７２】
本実施形態では、ファクシミリ装置Ａと携帯型電話機Ｂとを接続するケーブル３０に充電機能をも加えているので、ユーザは、帰宅した際などに充電しながら音声データを再生させることができる。
【００７３】
また、本実施形態の変形例としては、携帯型電話機Ｂを経由して得られた相手先の音声データをファクシミリ装置ＡのＲＡＭ１２に記録するとしても良い。
【図面の簡単な説明】
【００７４】
【図１】本発明に係る通信装置の一実施形態として、携帯型電話機を利用した通信システムにおけるファクシミリ装置の構成を示したブロック図である。
【図２】ファクシミリ装置の留守録処理手順を示すフローチャートである。
【図３】ファクシミリ装置の音声再生処理手順を示すフローチャートである。
【符号の説明】
【００７５】
１０  ＣＰＵ
１１  ＮＣＵ
１２  ＲＡＭ
１３  モデム
１４  ＲＯＭ
１５  ＥＥＰＲＯＭ
１６  ゲートアレイ
１７  コーデック
１８  ＤＭＡＣ
１９  充電制御部
２０  電源ユニット
２１  読取部
２２  印刷部
２３  操作部
２４  表示部
２５  音声出力部
２６  外付接続部
２８  公衆電話回線
Ａ    ファクシミリ装置
Ｂ    携帯型電話
【図１】
2006020360.tif 000003
【図２】
2006020360.tif 000004
【図３】
2006020360.tif 000005